(57)【要約】【課題】各情報機器の重要度の位置づけを活用してサービスの向上と安定確保を図る情報機器電源管理システムを提供する。【解決手段】電源インフラ手段４０と、電源インフラ手段４０から電力供給を受ける複数の情報機器ＩＴ１〜ＩＴ３と、電源インフラ手段４０からその状態信号を受けて、情報機器ＩＴ１〜ＩＴ３へのシャットダウン信号を出力する情報機器電源管理装置１０とを含み、情報機器電源管理装置１０が、電源インフラ手段４０の使用可能な残り時間に応じて、情報機器ＩＴ１〜ＩＴ３へのシャットダウン信号ＳＯ３を、予め設定される優先順位に基づいて順次出力する。【選択図】図１
2007199872.tif 000002
【特許請求の範囲】
【請求項１】
電源インフラ手段と、該電源インフラ手段から電力供給を受ける複数の情報機器と、前記電源インフラ手段からその状態信号を受けて、前記情報機器へのシャットダウン信号を出力する情報機器電源管理装置とを含む情報機器電源管理システムであって、前記情報機器電源管理装置が、前記電源インフラ手段の使用可能な残り時間に応じて、前記情報機器へのシャットダウン信号を、予め設定される優先順位に基づいて順次出力することを特徴とする情報機器電源管理システム。
【請求項２】
前記情報機器へのシャットダウン信号の前記予め設定される優先順位は、優先順位低のとりあえず不要な情報機器へのシャットダウン信号、優先順位中の停止しても全体の機能に影響の無い又は縮退運転の可能な情報機器へのシャットダウン信号、優先順位最終の残りの情報機器へのシャットダウン信号、として構成されることを特徴とする請求項１に記載の情報機器電源管理システム。
【請求項３】
前記情報機器電源管理装置が、前記電源インフラ手段からその状態信号を受けてその状態を判定し保持するインフラ状態認識手段と、このインフラ状態認識手段からの情報に基き電源供給可能な残り時間を算出する電源供給可能残時間計算手段と、設定手段からのシャットダウン信号とその優先順位を記憶する設定記憶手段と、前記電源供給可能残時間計算手段からの電源供給可能な残り時間と前記設定記憶手段のシャットダウン信号とその優先順位を比較し判定してシャットダウン信号を発するシャットダウン判定手段とを含むことを特徴とする請求項１又は２に記載の情報機器電源管理システム。
【請求項４】
前記電源インフラ手段と、該電源インフラ手段から電力供給を受けるそれぞれの情報機器との間に、配線用遮断器を設け、それぞれの情報機器が前記シャットダウン信号を受けた後シャットダウンした段階で、それぞれの配線用遮断器を閉止することを特徴とする請求項１乃至３のいずれか１項に記載の情報機器電源管理システム。
【請求項５】
通常時の給電容量の目標デマンド値への抑制には、前記優先順位低のとりあえず不要な情報機器へのシャットダウン信号を用いることを特徴とする請求項２に記載の情報機器電源管理システム。
【請求項６】
通常時の給電容量の目標デマンド値への抑制には、前記優先順位低のとりあえず不要な情報機器へのシャットダウン信号と空調の負荷低減を合わせて用いることを特徴とする請求項２に記載の情報機器電源管理システム。
【請求項７】
停電もしくは入力電源断が解消した際に、前記電源インフラ手段からその状態信号を受けてその状態を判定し保持するインフラ状態認識手段と、該インフラ状態認識手段で取得した情報を基に、電源復旧までの経過時間を算出する電源復旧時間計算手段と、前記電源復旧時間計算手段で求めた復旧経過時間と前記設定記憶手段に設定されていたリスタート関連情報とを比較しリスタート信号を発出するリスタート判定手段とを含むことを特徴とする請求請１乃至６のいずれか１項に記載の情報機器電源管理システム。
【請求項８】
前記リスタート信号は、シャットダウンの優先順位最終に対応するリスタート信号、次にシャットダウンの優先順位中に対応するリスタート信号、シャットダウンの優先順位低に対応するリスタート信号、の順で発出されることを特徴とする請求請７に記載の情報機器電源管理システム。
【請求項９】
複数の情報機器に電力供給する電源インフラ手段からの信号を受けて、その使用可能な残り時間に応じて、前記情報機器へのシャットダウン信号を、予め設定される優先順位に基づいて順次出力することを特徴とする情報機器電源管理装置。
【請求項１０】
前記情報機器へのシャットダウン信号の前記予め設定される優先順位は、優先順位低のとりあえず不要な情報機器へのシャットダウン信号、優先順位中の停止しても全体の機能に影響の無い又は縮退運転の可能な情報機器へのシャットダウン信号、優先順位最終の残りの情報機器へのシャットダウン信号、として構成されることを特徴とする請求項９記載の情報機器電源管理装置。
【請求項１１】
前記電源インフラ手段からその状態信号を受けてその状態を判定し保持するインフラ状態認識手段と、このインフラ状態認識手段からの情報に基づき電源供給可能な残り時間を算出する電源供給可能残時間計算手段と、設定手段からのシャットダウン信号とその優先順位を記憶する設定記憶手段と、前記電源供給可能残時間計算手段からの電源供給可能な残り時間と前記設定記憶手段のシャットダウン信号とその優先順位を比較し判定してシャットダウン信号を発するシャットダウン判定手段とを含むことを特徴とする請求項９又は１０に記載の情報機器電源管理装置。
【請求項１２】
前記電源インフラ手段と、該電源インフラ手段から電力供給を受けるそれぞれの情報機器との間に設けた配線用遮断器を、それぞれの情報機器が前記シャットダウン信号を受けた後シャットダウンした段階で、それぞれの配線用遮断器を閉止する信号を発出することを特徴とする請求項９乃至１１のいずれか１項に記載の情報機器電源管理装置。
【請求項１３】
通常時の給電容量の目標デマンド値への抑制には、前記優先順位低のとりあえず不要な情報機器へのシャットダウン信号を用いることを特徴とする請求項１０に記載の情報機器電源管理装置。
【請求項１４】
通常時の給電容量の目標デマンド値への抑制には、前記優先順位低のとりあえず不要な情報機器へのシャットダウン信号と空調の負荷低減を合わせて用いることを特徴とする請求項１０に記載の情報機器電源管理装置。
【請求項１５】
停電もしくは入力電源断が解消した際に、前記電源インフラ手段からその状態信号を受けてその状態を判定し保持するインフラ状態認識手段と、該インフラ状態認識手段で取得した情報を基に、電源復旧までの経過時間を算出する電源復旧時間計算手段と、前記電源復旧時間計算手段で求めた復旧経過時間と前記設定記憶手段に設定されていたリスタート関連情報とを比較しリスタート信号を発出するリスタート判定手段とを含むことを特徴とする請求請９乃至１４のいずれか１項に記載の情報機器電源管理装置。
【請求項１６】
前記リスタート信号は、シャットダウンの優先順位最終に対応するリスタート信号、次にシャットダウンの優先順位中に対応するリスタート信号、シャットダウンの優先順位低に対応するリスタート信号、の順で発出されることを特徴とする請求請１５に記載の情報機器電源管理装置。
【請求項１７】
複数の情報機器に電力供給する電源インフラ手段からの信号を情報機器電源管理装置が受けて、その使用可能な残り時間を把握するステップと、その使用可能な残り時間に応じて、前記情報機器電源管理装置が前記情報機器へのシャットダウン信号を、予め設定される優先順位に基づいて順次出力するステップを含むことを特徴とする情報機器電源管理方法。
【請求項１８】
前記情報機器へのシャットダウン信号の前記予め設定される優先順位は、優先順位低のとりあえず不要な情報機器へのシャットダウン信号、優先順位中の停止しても全体の機能に影響の無い又は縮退運転の可能な情報機器へのシャットダウン信号、優先順位最終の残りの情報機器へのシャットダウン信号、として構成されることを特徴とする請求項１７に記載の情報機器電源管理方法。
【請求項１９】
前記情報機器電源管理装置において、前記電源インフラ手段からインフラ状態認識手段がその状態信号を受けてその状態を判定し保持するステップと、前記インフラ状態認識手段からの情報に基き電源供給可能残時間計算手段が電源供給可能な残り時間を算出するステップと、シャットダウン判定手段が、前記電源供給可能残時間計算手段からの電源供給可能な残り時間と、設定手段から設定記憶手段に記憶されたシャットダウン信号とその優先順位を、比較し判定してシャットダウン信号を発するステップと、を含むことを特徴とする請求項１７又は１８に記載の情報機器電源管理方法。
【請求項２０】
前記情報機器電源管理装置が、前記電源インフラ手段と該電源インフラ手段から電力供給を受けるそれぞれの情報機器との間に設けた配線用遮断器を、それぞれの情報機器が前記シャットダウン信号を受けた後シャットダウンした段階で、それぞれの配線用遮断器を閉止する信号を発出するステップを含むことを特徴とする請求項１７乃至１９のいずれか１項に記載の情報機器電源管理方法。
【請求項２１】
前記情報機器電源管理装置において、通常時の給電容量の目標デマンド値への抑制に、前記優先順位低のとりあえず不要な情報機器へのシャットダウン信号を用いるステップを含むことを特徴とする請求項１８に記載の情報機器電源管理方法。
【請求項２２】
前記情報機器電源管理装置において、通常時の給電容量の目標デマンド値への抑制に、前記優先順位低のとりあえず不要な情報機器へのシャットダウン信号と空調の負荷低減を合わせて用いるステップを含むことを特徴とする請求項１８に記載の情報機器電源管理方法。
【請求項２３】
前記情報機器電源管理装置において、停電もしくは入力電源断が解消した際に、前記電源インフラ手段からインフラ状態認識手段がその状態信号を受けてその状態を判定し保持するステップと、該インフラ状態認識手段で取得した情報を基に、電源復旧時間計算手段が電源復旧までの経過時間を算出するステップと、該電源復旧時間計算手段で求めた復旧経過時間と前記設定記憶手段に設定されていたリスタート関連情報とを比較しリスタート判定手段がリスタート信号を発出するステップを含むことを特徴とする請求請１７乃至２２のいずれか１項に記載の情報機器電源管理方法。
【請求項２４】
前記リスタート信号は、シャットダウンの優先順位最終に対応するリスタート信号、次にシャットダウンの優先順位中に対応するリスタート信号、シャットダウンの優先順位低に対応するリスタート信号、の順で発出されることを特徴とする請求請２３に記載の情報機器電源管理方法。
【発明の詳細な説明】
【技術分野】
【０００１】
この発明は、情報機器への電力供給を管理する情報機器電源管理システム、情報機器電源管理装置、及び、情報機器への電力供給を管理する情報機器電源管理方法に関する。
【背景技術】
【０００２】
従来、複数のサーバに無停電電源装置から電源供給を行っている場合に、停電発生時に、無停電電源装置がネットワークを介して、サーバにシャットダウン指令を送出するシステムが開示されている（特許文献１参照）。また、複数のサーバに無停電電源装置から電源供給を行っている場合に、各サーバが、個別に無停電電源装置にアクセスしてその無停電電源装置の状態情報を取得し、その状態情報に基づいて自ら自己のシャットダウンなどを行うことができる無停電電源装置の管理・制御方法が開示されている（特許文献２参照）。
【特許文献１】特開２０００−７８２２４号公報（段落００１９、００２０、図１）
【特許文献２】特開２００４−１７１５１１号公報（段落００１１、図１）
【発明の開示】
【発明が解決しようとする課題】
【０００３】
しかしながら、各サーバなどの情報機器には、その現場での基本的動作に不可欠のもの、停止しても全体機能には影響しないものなどさまざまな重要度の位置づけができるが、上記の従来例では、このような区別への配慮はされていない。したがって、本発明の課題は、各情報機器の重要度の位置づけを活用してサービスの向上と安定確保を図ることのできる情報機器への電力供給を管理する情報機器電源管理システム、情報機器電源管理装置、及び、情報機器電源管理方法を提供することにある。
【課題を解決するための手段】
【０００４】
上記課題を解決するため、本発明は、電源インフラ手段と、該電源インフラ手段から電力供給を受ける複数の情報機器と、前記電源インフラ手段からその状態信号を受けて、前記情報機器へのシャットダウン信号を出力する情報機器電源管理装置とを含む情報機器電源管理システムであって、前記情報機器電源管理装置が、前記電源インフラ手段の使用可能な残り時間に応じて、前記情報機器へのシャットダウン信号を、予め設定される優先順位に基づいて順次出力する情報機器電源管理システムとする。これによって、優先順位を設定して選択的に情報機器のシャットダウンを行うことにより、停電時等の非常時にはバックアップ蓄電池の延命が可能となる。また、ＩＴサービスの安定確保が可能となる。
【０００５】
ここで、「使用可能な残り時間」は、残りの給電可能容量を、電源インフラのうち例えばＵＰＳ、整流装置などと組み合わせて使用する蓄電池などの残容量（Ａｈ）によって計算するか、或いは、例えば、非常用エンジンの燃料残容量（リットル）から計算し、情報機器（ＩＴ機器）の消費電力を配慮して、あと何時間使用できるかとして算出されたものである。
【０００６】
また、前記情報機器へのシャットダウン信号の前記予め設定される優先順位を、優先順位低のとりあえず不要な情報機器へのシャットダウン信号、優先順位中の停止しても全体の機能に影響の無い又は縮退運転の可能な情報機器へのシャットダウン信号、優先順位最終の残りの情報機器へのシャットダウン信号、として構成する情報機器電源管理システムとすれば、停電時等の非常時にバックアップ蓄電池の延命を効率的に達成することが可能となる。また、一層安定したＩＴサービスの確保が可能となる。
【０００７】
また、前記情報機器電源管理装置が、前記電源インフラ手段からその状態信号を受けてその状態を判定し保持するインフラ状態認識手段と、このインフラ状態認識手段からの情報に基づき電源供給可能な残り時間を算出する電源供給可能残時間計算手段と、設定手段からのシャットダウン信号とその優先順位を記憶する設定記憶手段と、前記電源供給可能残時間計算手段からの電源供給可能な残り時間と前記設定記憶手段のシャットダウン信号とその優先順位を比較し判定してシャットダウン信号を発するシャットダウン判定手段とを含む情報機器電源管理システムとすれば、優先順位を設定して選択的に情報機器のシャットダウンを行うことにより、停電時等の非常時にはバックアップ蓄電池の延命が可能となる。また、ＩＴサービスの安定確保が可能となる。
【０００８】
また、前記電源インフラ手段と、該電源インフラ手段から電力供給を受けるそれぞれの情報機器との間に、配線用遮断器を設け、それぞれの情報機器が前記シャットダウン信号を受けた後シャットダウンした段階で、それぞれの配線用遮断器を閉止する情報機器電源管理システムとすれば、それぞれの情報機器に必要なシャットダウン時間を確保して停止することができる。
【０００９】
また、通常時の給電容量の目標デマンド値への抑制には、前記優先順位低のとりあえず不要な情報機器へのシャットダウン信号を用いる情報機器電源管理システムとすれば、通常時の電力消費量レベルを抑制できる。
【００１０】
また、通常時の給電容量の目標デマンド値への抑制には、前記優先順位低のとりあえず不要な情報機器へのシャットダウン信号と空調の負荷低減を合わせて用いる情報機器電源管理システムとすれば、情報機器を停止させるのに伴い空調負荷も合わせてオフィス環境の悪化を最小限に抑制しつつ電力消費低減を可能とできる。
【００１１】
また、停電もしくは入力電源断が解消した際に、前記電源インフラ手段からその状態信号を受けてその状態を判定し保持するインフラ状態認識手段と、該インフラ状態認識手段で取得した情報を基に、電源復旧までの経過時間を算出する電源復旧時間計算手段と、前記電源復旧時間計算手段で求めた復旧経過時間と前記設定記憶手段に設定されていたリスタート関連情報とを比較しリスタート信号を発出するリスタート判定手段とを含む情報機器電源管理システムとすれば、復旧経過時間に合わせ、リスタート信号を適切なタイミングで発出することができ、情報機器電源管理システムの安定した復旧を可能とできる。
【００１２】
また、前記リスタート信号は、シャットダウンの優先順位最終に対応するリスタート信号、次にシャットダウンの優先順位中に対応するリスタート信号、シャットダウンの優先順位低に対応するリスタート信号、の順で発出される情報機器電源管理システムとすれば、リスタート信号を適切な順序で発出することができ、情報機器電源管理システムの安定した復旧を可能とできる。
【００１３】
また、複数の情報機器に電力供給する電源インフラ手段からの信号を受けて、その使用可能な残り時間に応じて、前記情報機器へのシャットダウン信号を、予め設定される優先順位に基づいて順次出力する情報機器電源管理装置とする。これによって、優先順位を設定して選択的に情報機器のシャットダウンを行うことにより、停電時等の非常時にはバックアップ蓄電池の延命が可能となる。また、ＩＴサービスの安定確保が可能となる。
【００１４】
また、前記情報機器へのシャットダウン信号の前記予め設定される優先順位が、優先順位低のとりあえず不要な情報機器へのシャットダウン信号、優先順位中の停止しても全体の機能に影響の無い又は縮退運転の可能な情報機器へのシャットダウン信号、優先順位最終の残りの情報機器へのシャットダウン信号、として構成される情報機器電源管理装置とすれば、停電時等の非常時にバックアップ蓄電池の延命を効率的に達成することが可能となる。また、一層安定したＩＴサービスの確保が可能となる。
【００１５】
また、前記電源インフラ手段からその状態信号を受けてその状態を判定し保持するインフラ状態認識手段と、このインフラ状態認識手段からの情報に基づき電源供給可能な残り時間を算出する電源供給可能残時間計算手段と、設定手段からのシャットダウン信号とその優先順位を記憶する設定記憶手段と、前記電源供給可能残時間計算手段からの電源供給可能な残り時間と前記設定記憶手段のシャットダウン信号とその優先順位を比較し判定してシャットダウン信号を発するシャットダウン判定手段とを含む情報機器電源管理装置とすれば、優先順位を設定して選択的に情報機器のシャットダウンを行うことにより、停電時等の非常時にはバックアップ蓄電池の延命が可能となる。また、ＩＴサービスの安定確保が可能となる。
【００１６】
また、前記電源インフラ手段と、該電源インフラ手段から電力供給を受けるそれぞれの情報機器との間に設けた配線用遮断器を、それぞれの情報機器が前記シャットダウン信号を受けた後シャットダウンした段階で、それぞれの配線用遮断器を閉止する信号を発出する情報機器電源管理装置とすれば、それぞれの情報機器に必要なシャットダウン時間を確保して停止することができる。
【００１７】
また、通常時の給電容量の目標デマンド値への抑制に、前記優先順位低のとりあえず不要な情報機器へのシャットダウン信号を用いる情報機器電源管理装置とすれば、通常時の電力消費量レベルを抑制できる。
【００１８】
また、通常時の給電容量の目標デマンド値への抑制に、前記優先順位低のとりあえず不要な情報機器へのシャットダウン信号と空調の負荷低減を合わせて用いる情報機器電源管理装置とすれば、情報機器を停止させるのに伴い空調負荷も合わせてオフィス環境の悪化を最小限に抑制しつつ電力消費低減を可能とできる。
【００１９】
また、停電もしくは入力電源断が解消した際に、前記電源インフラ手段からその状態信号を受けてその状態を判定し保持するインフラ状態認識手段と、該インフラ状態認識手段で取得した情報を基に、電源復旧までの経過時間を算出する電源復旧時間計算手段と、前記電源復旧時間計算手段で求めた復旧経過時間と前記設定記憶手段に設定されていたリスタート関連情報とを比較しリスタート信号を発出するリスタート判定手段とを含む情報機器電源管理装置とすれば、復旧経過時間に合わせ、リスタート信号を適切なタイミングで発出することができ、情報機器電源管理システムの安定した復旧を可能とできる。
【００２０】
また、前記リスタート信号が、シャットダウンの優先順位最終に対応するリスタート信号、次にシャットダウンの優先順位中に対応するリスタート信号、シャットダウンの優先順位低に対応するリスタート信号、の順で発出される情報機器電源管理装置とすれば、リスタート信号を適切な順序で発出することができ、情報機器電源管理システムの安定した復旧を可能とできる。
【００２１】
さらに、複数の情報機器に電力供給する電源インフラ手段からの信号を情報機器電源管
理装置が受けて、その使用可能な残り時間を把握するステップと、その使用可能な残り時間に応じて、前記情報機器電源管理装置が前記情報機器へのシャットダウン信号を、予め設定される優先順位に基づいて順次出力するステップを含む情報機器電源管理方法とする。これによって、優先順位を設定して選択的に情報機器のシャットダウンを行うことにより、停電時等の非常時にはバックアップ蓄電池の延命が可能となる。また、ＩＴサービスの安定確保が可能となる。
【００２２】
また、前記情報機器へのシャットダウン信号の前記予め設定される優先順位が、優先順位低のとりあえず不要な情報機器へのシャットダウン信号、優先順位中の停止しても全体の機能に影響の無い又は縮退運転の可能な情報機器へのシャットダウン信号、優先順位最終の残りの情報機器へのシャットダウン信号、として構成される情報機器電源管理方法とすれば、停電時等の非常時にバックアップ蓄電池の延命を効率的に達成することが可能となる。また、一層安定したＩＴサービスの確保が可能となる。
【００２３】
また、前記情報機器電源管理装置において、前記電源インフラ手段からインフラ状態認識手段がその状態信号を受けてその状態を判定し保持するステップと、前記インフラ状態認識手段からの情報に基き電源供給可能残時間計算手段が電源供給可能な残り時間を算出するステップと、シャットダウン判定手段が、前記電源供給可能残時間計算手段からの電源供給可能な残り時間と、設定手段から設定記憶手段に記憶されたシャットダウン信号とその優先順位を、比較し判定してシャットダウン信号を発するステップと、を含む情報機器電源管理方法とすれば、優先順位を設定して選択的に情報機器のシャットダウンを行うことにより、停電時等の非常時にはバックアップ蓄電池の延命が可能となる。また、ＩＴサービスの安定確保が可能となる。
【００２４】
また、前記情報機器電源管理装置が、前記電源インフラ手段と該電源インフラ手段から電力供給を受けるそれぞれの情報機器との間に設けた配線用遮断器を、それぞれの情報機器が前記シャットダウン信号を受けた後シャットダウンした段階で、それぞれの配線用遮断器を閉止する信号を発出するステップを含む情報機器電源管理方法とすれば、それぞれの情報機器に必要なシャットダウン時間を確保して停止することができる。
【００２５】
また、前記情報機器電源管理装置において、通常時の給電容量の目標デマンド値への抑制に、前記優先順位低のとりあえず不要な情報機器へのシャットダウン信号を用いるステップを含む情報機器電源管理方法とすれば、通常時の電力消費量レベルを抑制できる。
【００２６】
また、前記情報機器電源管理装置において、通常時の給電容量の目標デマンド値への抑制に、前記優先順位低のとりあえず不要な情報機器へのシャットダウン信号と空調の負荷低減を合わせて用いるステップを含む情報機器電源管理方法とすれば、情報機器を停止させるのに伴い空調負荷も合わせてオフィス環境の悪化を最小限に抑制しつつ電力消費低減を可能とできる。
【００２７】
また、前記情報機器電源管理装置において、停電もしくは入力電源断が解消した際に、前記電源インフラ手段からインフラ状態認識手段がその状態信号を受けてその状態を判定し保持するステップと、該インフラ状態認識手段で取得した情報を基に、電源復旧時間計算手段が電源復旧までの経過時間を算出するステップと、該電源復旧時間計算手段で求めた復旧経過時間と前記設定記憶手段に設定されていたリスタート関連情報とを比較しリスタート判定手段がリスタート信号を発出するステップを含む情報機器電源管理方法とすれば、復旧経過時間に合わせ、リスタート信号を適切なタイミングで発出することができ、情報機器電源管理システムの安定した復旧を可能とできる。
【００２８】
また、前記リスタート信号を、シャットダウンの優先順位最終に対応するリスタート信号、次にシャットダウンの優先順位中に対応するリスタート信号、シャットダウンの優先順位低に対応するリスタート信号、の順で発出する情報機器電源管理方法とすれば、リスタート信号を適切な順序で発出することができ、情報機器電源管理システムの安定した復旧を可能とできる。
【発明の効果】
【００２９】
本発明によれば、情報機器電源管理装置が、電源インフラ手段の使用可能な残り時間に応じて、情報機器へのシャットダウン信号を、予め設定される優先順位に基づいて順次出力する情報機器電源管理システムとすることによって、優先順位を設定して選択的に情報機器のシャットダウンを行い、停電時等の非常時にはバックアップ蓄電池の延命が可能となる。また、ＩＴサービスの安定確保が可能となる。また、本発明によれば、複数の情報機器に電力供給する電源インフラ手段からの信号を受けて、その使用可能な残り時間に応じて、情報機器へのシャットダウン信号を、予め設定される優先順位に基づいて順次出力する情報機器電源管理装置とすることによって、優先順位を設定して選択的に情報機器のシャットダウンを行い、停電時等の非常時にはバックアップ蓄電池の延命が可能となる。また、ＩＴサービスの安定確保が可能となる。また、本発明によれば、複数の情報機器に電力供給する電源インフラ手段からの信号を情報機器電源管理装置が受けて、その使用可能な残り時間を把握するステップと、その使用可能な残り時間に応じて、情報機器電源管理装置が情報機器へのシャットダウン信号を、予め設定される優先順位に基づいて順次出力するステップを含む情報機器電源管理方法とすることによって、優先順位を設定して選択的に情報機器のシャットダウンを行い、停電時等の非常時にはバックアップ蓄電池の延命が可能となる。また、ＩＴサービスの安定確保が可能となる。
【発明を実施するための最良の形態】
【００３０】
以下本発明の実施の形態を図を参照しつつ説明する。
【００３１】
図１は、本発明による一実施の形態としての、情報機器電源管理装置を中心とした情報機器電源管理システムの構成ブロック図である。図２は、図１の情報機器電源管理システムの全体構成図である。
【００３２】
図１と図２において、情報機器電源管理システム（ＩＰＭＳ）１は、情報機器電源管理装置（ＩＰＭＤ）１０を中心に、これと接続される電源インフラ４０と電源インフラ４０から電力供給を受ける複数の情報機器（ＩＴ機器）ＩＴ１〜ＩＴ３と、を含んで構成される。情報機器電源管理装置（ＩＰＭＤ）１０は、基本的に電源インフラ４０からその状態信号、例えば、計測データＳＩ１、警報信号ＳＩ２を受けて、情報機器ＩＴ１〜ＩＴ３へのシャットダウン信号ＳＯ３を出力するものである。
【００３３】
図１において、情報機器電源管理装置（ＩＰＭＤ）１０では、受信手段１１で電源インフラ４０からの状態信号である計測データＳＩ１、警報信号ＳＩ２を受け取り、これらの信号をインフラ状態認識手段１２に伝達する。図２に示すように、インフラ状態認識手段１２は、各電源装置（商用電源４１、非常用エンジン４２、蓄電池４３など）からの「電圧」「電流」等の計測値である計測データＳＩ１−１、ＳＩ１−２、ＳＩ１−３と警報信号ＳＩ２に基づき、「給電中」「停電中」「電圧低下」等の電源インフラの状態を判定し、その状態信号および計測データを保持する。また、設定記憶手段１３は、設定手段２０により外部から設定される設定データＳＩ３を入出力および記憶する。設定データＳＩ３は、電源インフラの構成（例えば、設置されている無停電電源装置（ＵＰＳ）、容量、蓄電池の個数や容量等）と、情報機器情報（例えば、情報機器の名前、ＩＰアドレス、ＯＳ等）、シャットダウン関連情報（例えば、シャットダウンコマンド、優先順位等）、リスタート関連情報（例えば、優先順位、リスタート時間等）である。
【００３４】
インフラ状態認識手段１２は、計測データＳＩ１、警報信号ＳＩ２、電源インフラ４０の状態信号（計測データＳＩ１、警報信号ＳＩ２）、警報発出判定手段１４、状態表示処理手段１５、電源供給可能残時間計算手段１６、電源復旧時間計算手段１８に伝達する。また、設定記憶手段１３は、シャットダウン関連情報をシャットダウン判定手段１７に伝達、リスタート関連情報をリスタート判定手段１９に伝達する。
【００３５】
警報発出判定手段１４は、インフラ状態認識手段１２で取得した情報を基に、「停電発生」「電圧低下」「装置故障」等の警報と計測データを含む計測データ警報信号情報ＳＯ１を、外部のネットワーク３０などに送出するかを判定し、必要と判定すれば警報を送出する。状態表示処理手段１５は、インフラ状態認識手段１２で取得した情報を基に、「給電中」「停電中」等の電源インフラの状態や「電圧」「電流」等の計測データを含む状態表示信号ＳＯ２を、外部ネットワーク３０などに送出する。カスタマーセンター３１は、外部のネットワーク３０を介して上記の計測データ警報信号情報ＳＯ１、状態表示信号ＳＯ２を受け取り遠隔監視を行うと共に、これらの情報をカスタマー３３，３３に流す。あるいは、カスタマー３３，３３は、これらの情報を外部のネットワーク３０を介して直接受け取ることとしてもよい。
【００３６】
電源供給可能残時間計算手段１６は、停電もしくは入力電源断が発生した際、インフラ状態認識手段１２で取得した情報を基に、残りの給電可能容量を、電源インフラ４０のうち例えば無停電電源装置（ＵＰＳ）４４、整流装置などと組み合わせて使用する蓄電池４３などの残容量（Ａｈ）によって計算するか、或いは、例えば、非常用エンジン４２の燃料残容量（リットル）から計算し、情報機器（ＩＴ機器）ＩＴ１〜ＩＴ３の消費電力を配慮して、電源供給可能な残り時間を算出する。
【００３７】
例えば、蓄電池の使用可能な残時間について説明する。蓄電池による供給は蓄電池電圧が放電終止電圧となるまで続けられ、蓄電池電圧を計測することにより判定する。供給した蓄電池放電電流を積算することにより放電容量[Ah]が求められ、それを設置されている蓄電池容量から引き算することにより、残容量[Ah]が算出される。この残容量を放電電流で割り算することにより、残時間が得られる。
【００３８】
シャットダウン判定手段１７は、設定記憶手段１３に設定されていた「シャットダウン関連情報」と、電源供給可能時間計算手段１６で求めた「電源供給可能な残り時間」とを比較し、シャットダウン信号を発出するかを判定し、必要な場合にはこの信号を発出する。電源復旧時間計算手段１８は、停電もしくは入力電源断が解消した際、インフラ状態認識手段１２で取得した情報を基に、電源復旧後の経過時間を算出、例えば、インフラ状態認識手段１２からの復電信号受信後、或は、ＵＰＳ４４の入力電源復旧を受けた後、経過時間を積算する。リスタート判定手段１９は、設定記憶手段１３に設定されていた「リスタート関連情報」と、電源復旧時間計算手段１８で求めた「復旧経過時間」とを比較し、リスタート信号ＳＯ４を発出するか判定し、必要な場合にこの信号を発出する。上記のように「シャットダウン関連情報」と「リスタート関連情報」とは、それぞれ、各情報機器（ＩＴ機器）ＩＴ１〜ＩＴ３の優先順位を含んでおり、この設定されたそれぞれの優先順位に従って、それぞれのシャットダウン、それぞれのリスタートが行われる。
【００３９】
さらに、図２の情報機器電源管理システム１の全体構成図を参照しつつ、情報機器電源管理装置（ＩＰＭＤ）１０周囲の具体的構成例と接続状態とを説明する。電源インフラ４０は、この例では、商用電源４１、燃料タンクを伴う非常用エンジン４２、蓄電池４３、無停電電源装置（ＵＰＳ）４４を含んでいる。情報機器電源管理装置（ＩＰＭＤ）１０に対し、商用電源４１からは、停電信号、負荷容量（ＩＴ機器等の総合的な消費電力量、受電している機器の使用電力）のデータＳＩ１−１が、非常用エンジン４２からは、エンジン運転状態、運転時間、付加容量、燃料残量のデータＳＩ１−２が、蓄電池４３、無停電電源装置（ＵＰＳ）４４からは、出力電流、出力電圧、蓄電池電圧、蓄電池放電量などのデータＳＩ１−３が、また、分電盤４６からは、電流データＳＩ１−４が、さらに、空調４７の、運転状態のデータＳＩ４が、伝達される。商用電源４１が停電すると、商用電源４１から非常用エンジン４２へ電源を切り替える切替スイッチ４５があり、無停電電源装置（ＵＰＳ）４４は、この切替スイッチ４５を介して商用電源４１、非常用エンジン４２と接続されている。無停電電源装置（ＵＰＳ）４４は、分電盤４６内の配線用遮断器（ＭＣＣＢ）Ａ０，Ａ１，Ｂ１，Ｂ２，Ｃ１を介して、それぞれがＩＴ機器ＡＩＴ１−１、ＩＴ機器Ｂ１ＩＴ２−１、ＩＴ機器Ｂ２ＩＴ２−２、ＩＴ機器ＣＩＴ３−１と接続されている（図２の右端参照）。上記の配線用遮断器（ＭＣＣＢ）は、例えば、ＪＩＳ規格Ｃ８３７０に規定されたものなどが使用できる。なお、配線用遮断器（ＭＣＣＢ）Ａ０，Ａ１は、それぞれがＩＴ機器ＡＩＴ１−１の「０系（通常用）」、「１系（バックアップ用）」に接続されていることを例示したものである。
【００４０】
情報機器電源管理装置（ＩＰＭＤ）１０、無停電電源装置（ＵＰＳ）４４、監視モニタ３５、各ＩＴ機器は、ＬＡＮ５０でつながれている。情報機器電源管理装置（ＩＰＭＤ）１０からは、点線矢印で示すように、シャットダウン信号ＳＯ３、リスタート信号（復旧信号）ＳＯ４が、各ＩＴ機器に配信される。また、配線用遮断器（ＭＣＣＢ）Ａ０，Ａ１，Ｂ１，Ｂ２，Ｃ１を動作させる信号ＳＯ５（Ｂ１に対してのみの信号を点線で例示しているが、他も同様）が伝達される。
【００４１】
次に、設定記憶手段１３内に設定され記憶される優先順位管理プログラムについて、説明する。このプログラムには設定手段２０により外部から設定データＳＩ３を入出力および記憶する。上述のように、設定データＳＩ３は、電源インフラの構成（例えば、設置されている無停電電源装置（ＵＰＳ）、容量、蓄電池の個数や容量等）と、情報機器情報（例えば、情報機器の名前、ＩＰアドレス、ＯＳ等）、シャットダウン関連情報（例えば、シャットダウンコマンド、優先順位等）、リスタート関連情報（例えば、優先順位、リスタート時間等）である。
【００４２】
優先順位管理プログラムは、例えば、シャットダウン要請の優先順位について低、中、最終の三段階に設定する。
【００４３】
図５に基づいて、このシャットダウン要請の優先順位に付き説明すると、まず、シャットダウン要請の優先順位「低」では、停止してもＩＴサービスに影響のないＩＴ機器、例えば、バックアップ系ＩＴ装置、を対象に停電等非常時に、不要なＩＴ機器を停止させる。シャットダウンタイミングは、電源供給可能時間計算手段１６で求めた「電源供給可能な残り時間」（使用可能な残り時間）すなわち、バックアップ残り時間を基にシャットダウン判定手段１７で判定される。この例の場合は、停電検出後速やかに行うものとされる。後述するように、通常時にも、デマンド検出時にこのシャットダウン要請の優先順位「低」の状況をとることがある。
【００４４】
シャットダウン要請の優先順位「中」では、停電が継続した場合に、停止しても全体の機能には影響のない、もしくは縮退運転が可能となるＩＴ機器を停止させる。特に、冗長構成、二重化設備の片系等が対象となる。シャットダウンタイミングは、電源供給可能時間計算手段１６で求めた「電源供給可能な残り時間」すなわち、バックアップ残り時間を基にシャットダウン判定手段１７で判定される、例えば、15分前、10分前等とされる。この場合におけるシャットダウンタイミングは、「停止可能な優先度が高いもの」「シャットダウン時間が長いもの」「電源容量の大きいもの」から優先して行われる。
【００４５】
シャットダウン要請の優先順位「最終」では、すべてのＩＴ機器をシャットダウンする。シャットダウンタイミングは、電源供給可能時間計算手段１６で求めた「電源供給可能な残り時間」すなわち、バックアップ残り時間を基にシャットダウン判定手段１７で判定される、バックアップ残り時間が、例えば、５分など、使用状況に応じ設定する。その後の全ＩＴ機器の停止後、ＵＳＰ４４もシャットダウンする。シャットダウン要請の優先順位「非常時対応」では、緊急ですべてのＩＴ機器を順にシャットダウンし、情報機器電源管理システム（ＩＰＭＳ）停止を行う。
【００４６】
図５に示したように、上記のシャットダウン要請の優先順位は、次に説明するシャットダウン動作に対応させ、シャットダウン要請の優先順位「低」を「第１ステップ」ＳＴ１と、シャットダウン要請の優先順位「中」を「第２ステップ」ＳＴ２と、シャットダウン要請の優先順位「最終」を、「最終ステップ」ＳＴＦと、さらに、シャットダウン要請の優先順位「非常時対応」を「非常時ステップ」ＳＴＵとこの例では呼ぶ。
【００４７】
電源供給可能残時間計算手段１６は、停電もしくは入力電源断が発生した際、インフラ状態認識手段１２で取得した情報を基に、電源供給可能な残り時間（使用可能な残り時間）を算出する。シャットダウン判定手段１７は、設定記憶手段１３に設定されている上記の優先順位を含む「シャットダウン関連情報」と、電源供給可能時間計算手段１６で求めた「電源供給可能な残り時間」とを比較し、どのシャットダウン信号を発出するか判定し、必要な場合にはそのシャットダウン信号を発出する。
【００４８】
次に図３に基づき停電時にＩＴサービスを延命するプログラムの機能を説明する。蓄電池４３のみによる短時間のＵＰＳ４４による場合を例にとって示す。また、図３は説明簡素化のため、ＩＴ機器それぞれのシャットダウンタイミングの差による変化などは省略して示している。
【００４９】
図３の縦軸は蓄電池電圧、横軸は時間である。ＩＴ機器の最低動作電圧レベルを線Ｌ４で示す。停電発生時の蓄電池電圧Ｐ１は、曲線Ｌ１に沿って時間と共に徐々に下がる。情報機器電源管理装置（ＩＰＭＤ）１０を用いない場合、曲線Ｌ１に沿って電圧Ｐ３まで下がって、ＩＴ機器ＩＴ１〜ＩＴ３の完全停止に至る。電圧Ｐ２でシャットダウン要請の優先順位「低」に至り、「第１ステップ」ＳＴ１の動作のシャットダウンをプログラムは指令する。これによって、蓄電池電圧の減衰曲線Ｌ２に沿って減少をはじめる。その後も停電が続くと、蓄電池電圧Ｐ４でシャットダウン要請の優先順位「中」に至り、「第２ステップ」ＳＴ２の動作のシャットダウンをプログラムは指令する。これによって、蓄電池電圧の減衰曲線Ｌ３に沿って減少をはじめる。その後も停電が続くと、蓄電池電圧Ｐ５で「最終ステップ」ＳＴＦに至り、全てのＩＴ機器は、シャットダウンされ、その後の全ＩＴ機器の停止後、ＵＳＰ４４もシャットダウンされる。情報機器電源管理装置（ＩＰＭＤ）１０を用いない場合に比べ、蓄電池の放電時間は矢印ＢＵのように、伸び、その差は矢印ＳＰのサービス延命期間となる。
【００５０】
次に図４に基づき通常時に電力消費を抑制するサービス確保型のデマンド制御についてのプログラムの機能を説明する。図４の縦軸は給電容量（電源インフラ手段４０から供給している電力〔ｋＷ〕）、横軸は時間である。給電の目標デマンド値をＬＤとする。ＩＴ機器、空調等により需要電力が次第に増加し、給電容量が、目標デマンド値ＬＤを超えようとすると、上記のシャットダウン要請の優先順位「低」の「第１ステップ」ＳＴ１の動作を開始する、これと共に、本実施の形態では、空調の負荷も合わせて消費電力を低減（これを図４中ＡＣＤで表示）する。この給電容量の低下量を矢印Ｄ３，Ｄ４で示す。このような繰り返し動作により、目標デマンド値ＬＤに合わせて電力消費を抑制できる。
【００５１】
次に、停電もしくは入力電源断が解消した際の復旧動作に付き説明する。
【００５２】
停電もしくは入力電源断が解消した際には、電源復旧時間計算手段１８は、インフラ状態認識手段１２で取得した情報を基に、電源復旧後の経過時間を算出する。リスタート判定手段１９は、設定記憶手段１３に設定されていた「リスタート関連情報」と、電源復旧時間計算手段１８で求めた「復旧後の経過時間」とを比較し、リスタート信号ＳＯ４を発出するか判定し、必要な場合にこの信号を発出する。この動作は、基本的にシャットダウン動作と逆のステップをたどる。「最終ステップ」ＳＴＦに対応するリスタートステップがまず行われ、次に「第２ステップ」ＳＴ２に対応するリスタートステップが、最後に「第１ステップ」ＳＴ１に対応するリスタートステップがおこなわれる。すなわち、シャットダウンの優先順位「最終」に対応するリスタート信号は、ＩＴサービスの基本を司るＩＴ機器のリスタート信号であり、次のシャットダウンの優先順位「中」に対応するリスタート信号は、停止しても全体の機能には影響のない、もしくは縮退運転が可能であるＩＴ機器に対するリスタート信号であり、さらにシャットダウンの優先順位「低」に対応するリスタート信号は、停止してもＩＴサービスに影響のないＩＴ機器に対するリスタート信号であり、この順でリスタート信号が発出される。
【産業上の利用可能性】
【００５３】
以上のように、本発明による情報機器電源管理システム、情報機器電源管理装置、及び、情報機器電源管理方法は、停電発生時などの情報機器への電力供給を管理してサービスの向上と安定確保を図ることのできるものとして産業上の利用可能性は大きい。
【図面の簡単な説明】
【００５４】
【図１】本発明による一実施の形態としての、情報機器電源管理装置を中心とした情報機器電源管理システムの構成ブロック図である。
【図２】図１の情報機器電源管理システムの全体構成図である。
【図３】図１の情報機器電源管理装置の停電時の動作説明図である。
【図４】図１の情報機器電源管理装置の通常時の動作説明図である。
【図５】図１の情報機器電源管理システムにおける優先順位の設定の一例を示す説明図である。
【符号の説明】
【００５５】
１  情報機器電源管理システム（ＩＰＭＳ）、１０  情報機器電源管理装置（ＩＰＭＤ）、１１  受信手段、１２  インフラ状態認識手段、１３  設定記憶手段、１４  警報発出判定手段、１５  状態表示処理手段、１６  電源供給可能残時間計算手段、１７  シャットダウン判定手段、１８  電源復旧時間計算手段、１９  リスタート判定手段、２０  設定手段、３０  外部のネットワーク、３１  カスタマーセンター、３３  カスタマー、３５  監視モニタ、４０  電源インフラ、４１  商用電源、４２  非常用エンジン、４３  蓄電池、４４  無停電電源装置（ＵＰＳ）、４５  切替スイッチ、４６  分電盤、４７  空調、５０  ＬＡＮ、Ａ０，Ａ１，Ｂ１，Ｂ２，Ｃ１  配線用遮断器（ＭＣＣＢ）、ＩＴ１，ＩＴ２，ＩＴ３  情報機器（ＩＴ機器）、ＩＴ１−１  ＩＴ機器Ａ、ＩＴ２−１  ＩＴ機器Ｂ１、ＩＴ２−２  ＩＴ機器Ｂ２、ＩＴ３−１  ＩＴ機器Ｃ、ＳＩ１  計測データ、ＳＩ２  警報信号、ＳＩ３  設定データ、ＳＩ４  運転状態のデータ、ＳＩ１−１，ＳＩ１−２，ＳＩ１−３，ＳＩ４  データ、ＳＩ１−４  電流データ、ＳＯ１  計測データ警報信号情報、ＳＯ２  状態表示信号、ＳＯ３  シャットダウン信号、ＳＯ４  リスタート信号、ＳＯ５  配線用遮断器（ＭＣＣＢ）を動作させる信号、ＢＵ  蓄電池の放電時間、Ｌ１，Ｌ２，Ｌ３  曲線、Ｌ４  最低動作電圧レベル、ＬＤ  目標デマンド値、Ｐ１〜Ｐ５  電圧、ＳＰ  サービス延命期間、ＳＴ１  「第１ステップ」、ＳＴ２  「第２ステップ」、ＳＴＦ  「最終ステップ」、ＳＴＵ  「非常時ステップ」。
【図１】
2007199872.tif 000003
【図２】
2007199872.tif 000004
【図３】
2007199872.tif 000005
【図４】
2007199872.tif 000006
【図５】
2007199872.tif 000007